(57)【要約】【課題】固着ユニットを利用し、回路基板上に絶縁本体を強固に結合させることができる変圧器の巻線軸構造を提供する。【解決手段】変圧器の巻線軸構造は、巻線部１１がその上に設けられた絶縁本体１と、絶縁本体１の両側にそれぞれ設けられた多数の端子２と、絶縁本体１中に結合された接合部３１と、接合部３１の端部に接続された曲がり部３２と、接合部３１と略垂直であり、曲がり部３２の端部に接続された係止部３３と、を有し、絶縁本体１の側縁の適宜箇所に設けられた少なくとも１つの固着ユニット３とを備える。【選択図】図２
0003145895.tif 000002
【実用新案登録請求の範囲】
【請求項１】
巻線部がその上に設けられた絶縁本体と、
前記絶縁本体の両側にそれぞれ設けられた多数の端子と、
前記絶縁本体中に結合された接合部と、前記接合部の端部に接続された曲がり部と、前記接合部と略垂直であり、前記曲がり部の端部に接続された係止部と、を有し、前記絶縁本体の側縁の適宜箇所に設けられた少なくとも１つの固着ユニットとを備えることを特徴とする変圧器の巻線軸構造。
【請求項２】
前記固着ユニットは、合金銅または合金鉄からなることを特徴とする請求項１に記載の変圧器の巻線軸構造。
【請求項３】
前記曲がり部の両側には、それぞれ凹部が設けられていることを特徴とする請求項１に記載の変圧器の巻線軸構造。
【請求項４】
前記係止部は、互いに平行に配列された鉤板を有することを特徴とする請求項１に記載の変圧器の巻線軸構造。
【請求項５】
前記係止部の両側には、凸面がそれぞれ設けられ、前記凸面の間には前記係止部に穿設された貫通孔が設けられていることを特徴とする請求項１に記載の変圧器の巻線軸構造。
【請求項６】
前記係止部は、フックを有することを特徴とする請求項１に記載の変圧器の巻線軸構造。
【考案の詳細な説明】
【技術分野】
【０００１】
本考案は、変圧器の巻線軸構造に関し、特に、固着ユニットを利用し、回路基板上に絶縁本体を強固に結合させることができる上、巻線を使用するときに、固着ユニットを利用して好適な電気特性を得ることができる変圧器の巻線軸構造に関する。
【背景技術】
【０００２】
一般に従来の変圧器巻線軸６（図１に示す）は、プラスチック本体６１と、プラスチック本体６１上に設けられた巻線部６２と、プラスチック本体６１の底部と一体化して延伸した少なくとも１つの係合部６３と、プラスチック本体６１の両側にそれぞれ設けられた多数の端子６４とを含む。係合部６３は、キノコ状の頭部を有する。これにより、導線（図示せず）を巻線部６２および端子６４上に巻き付けてから、係合部６３により、回路基板と係合して溶接し、様々な種類の変圧器またはインダクタに利用することができる。
【０００３】
上述した従来の変圧器巻線軸６は、巻線後に回路基板に溶接されるが、プラスチック本体６１と、その上にある係合部６３とがプラスチックからなっているため、溶接した後に係合部６３に溶損が発生し、係合部６３が正常な固定力を提供することができなくなることがあった。また、係合部６３に溶損が発生しない場合でも、受熱により係合部６３の弾力性が失われて脆くなり、係合部６３に容易にクラックが発生して損壊し、係合部６３が役に立たなくなることがあった。さらに、係合部６３を製造するとき、その金型構造を複雑なスライドブロック構造に設計しなければならないため、プラスチック金型構造が複雑となるだけでなく、金型構造の強度が低下して損壊しやすくなることがあった。
【考案の開示】
【考案が解決しようとする課題】
【０００４】
本考案は、上記に鑑みてなされたものであって、固着ユニットを利用し、回路基板上に絶縁本体を強固に結合させることができる以外に、巻線を使用するときに、固着ユニットを利用して好適な電気特性を得ることができる変圧器の巻線軸構造を提供することを目的とする。
【課題を解決するための手段】
【０００５】
上記課題を解決するために、本考案に係る変圧器の巻線軸構造は、巻線部がその上に設けられた絶縁本体と、前記絶縁本体の両側にそれぞれ設けられた多数の端子と、前記絶縁本体中に結合された接合部と、前記接合部の端部に接続された曲がり部と、前記接合部と略垂直であり、前記曲がり部の端部に接続された係止部と、を有し、前記絶縁本体の側縁の適宜箇所に設けられた少なくとも１つの固着ユニットとを備えることを特徴とする。
【０００６】
さらに、本考案に係る変圧器の巻線軸構造は、前記固着ユニットは、合金銅または合金鉄からなることを特徴とする。
【０００７】
さらに、本考案に係る変圧器の巻線軸構造は、前記曲がり部の両側には、それぞれ凹部が設けられていることを特徴とする。
【０００８】
さらに、本考案に係る変圧器の巻線軸構造は、前記係止部は、互いに平行に配列された鉤板を有することを特徴とする。
【０００９】
さらに、本考案に係る変圧器の巻線軸構造は、前記係止部の両側には、凸面がそれぞれ設けられ、前記凸面の間には前記係止部に穿設された貫通孔が設けられていることを特徴
する。
【００１０】
さらに、本考案に係る変圧器の巻線軸構造は、前記係止部は、フックを有することを特徴とする。
【考案の効果】
【００１１】
以上のように、本考案に係る変圧器の巻線軸構造は、固着ユニットを利用し、回路基板上に絶縁本体を強固に結合させることができる以外に、巻線を使用するときに、固着ユニットを利用して好適な電気特性を得ることができる。
【考案を実施するための最良の形態】
【００１２】
本考案を実施するための形態を図２から図９を用いて説明する。
【００１３】
（第１実施形態）
図２から図５を参照する。図２から図５に示すように、本考案の第１実施形態にかかる変圧器の巻線軸構造は、絶縁本体１、多数の端子２および少なくとも１つの固着ユニット３を含む。
【００１４】
絶縁本体１上には、巻線部１１が設けられている。
【００１５】
絶縁本体１の両側には、端子２がそれぞれ設けられている。
【００１６】
固着ユニット３は、合金銅または合金鉄からなる。この固着ユニット３は、絶縁本体１の側縁の適宜箇所（例えば、片側、両側、対称的な両側または非対称的な両側）に設けられ、絶縁本体１中に結合された接合部３１と、接合部３１の端部に接続された曲がり部３２と、接合部３１と略垂直に接続され、曲がり部３２の端部に接続された係止部３３とを有する。曲がり部３２の両側には凹部３２１が設けられている。係止部３３は、互いに平行に配列された鉤板３３１を有する。上述の構造により、本考案は全く新しい変圧器の巻線軸構造を提供することができる。
【００１７】
本考案の第１実施形態は、巻線部１１、各端子２および固着ユニット３上に導線４を巻き付け、巻き付けるときに、固着ユニット３の曲がり部３２の両側に設けた凹部３２１を利用し、巻き付ける導線の径が大きいか多数股の導線４を提供することができる。これにより、巻線を完了した後、様々な種類の変圧器またはインダクタに応用することができる。組み立てるときは、回路基板５の挿通孔５１中に固着ユニット３の係止部３３を貫設させ、回路基板５の底面上に係止部３３の鉤板３３１を係止させた後、必要に応じて回路基板５上に鉤板３３１を溶接させることにより、固着ユニット３を利用して回路基板５上に絶縁本体１を強固に結合させることができる。曲がり部３２は、係止部３３を所定の位置に拘束して間隔を保持させることができるため、挿通孔５１へ係止部３３を正確に挿入することができる。
【００１８】
実際に使用するときは、固着ユニット３は、サイズが端子２よりも大きく、大きな低電圧電流を流すことに適し、接地としても用いることができるため、変圧器に高低圧入力／出力の端子機能を提供することができる。回路基板５上に鉤板３３１が溶接された後、鉤板３３１の設計により溶接点が弧面状に形成されるため、その溶接点に高圧放電が発生することを防ぐことができる。このように、巻線を使用すると、固着ユニット３を使用して好適な電気特性を得ることができる。
【００１９】
（第２実施形態）
図６および図７を参照する。図６および図７に示すように、本考案の第２実施形態による変圧器の巻線軸構造は、第１実施形態と異なり、固着ユニット３の係止部３３ａの両側に凸面３３２ａを設け、各凸面３３２ａの間には、係止部３３ａに穿設された貫通孔３３３ａが設けられ、回路基板５の挿通孔５１に係止部３３ａを貫設させた後に、２つの凸面３３２ａを利用して係止させる。以上述べたことから分かるように、第２実施形態の固着ユニット３は、第１実施形態と異なる構造を有するが、第１実施形態と同様の効果を得ることができる。
【００２０】
（第３実施形態）
図８および図９を参照する。図８および図９に示すように、本考案の第３実施形態による変圧器の巻線軸構造は、第１実施形態または第２実施形態と異なり、固着ユニット３の係止部３３ｂの外側にフック３３４ｂを設け、回路基板５の挿通孔５１に係止部３３ｂを貫設させた後に、フック３３４ｂを利用して回路基板５の底面上に係止させる。上述したことから分かるように、第３実施形態の固着ユニット３は、第１実施形態と異なる構造を有するが、第１実施形態と同様の効果を得ることができる。
【００２１】
上述したことから分かるように、本考案の変圧器の巻線軸構造は、固着ユニットを利用し、回路基板上に絶縁本体を強固に結合させることができる上、巻線を使用するときに、固着ユニットを利用して好適な電気特性を得ることができる。
【００２２】
なお、本考案は、上記実施の形態に限定されるものではなく、請求項に示した範囲で種々の変更が可能である。すなわち、請求項に示した範囲で適宜変更した技術的手段を組み合わせて得られる実施の形態についても本考案の技術的範囲に含まれる。
【図面の簡単な説明】
【００２３】
【図１】従来の変圧器の巻線軸構造を示す斜視図である。
【図２】本考案の第１実施形態による変圧器の巻線軸構造を示す斜視図である。
【図３】本考案の第１実施形態による変圧器の巻線軸構造を示す斜視図である。
【図４】本考案の第１実施形態による変圧器の巻線軸構造を示す断面図である。
【図５】図４の係止部を示す部分拡大図である。
【図６】本考案の第２実施形態による変圧器の巻線軸構造を示す斜視図である。
【図７】図６の係止部を示す部分拡大図である。
【図８】本考案の第３実施形態による変圧器の巻線軸構造を示す斜視図である。
【図９】図８の係止部を示す部分拡大図である。
【符号の説明】
【００２４】
６    変圧器巻線軸
６１    プラスチック本体
６２    巻線部
６３    係合部
６４    端子
１    絶縁本体
１１    巻線部
２    端子
３    固着ユニット
３１    接合部
３２    曲がり部
３２１    凹部
３３    係止部
３３ａ    係止部
３３ｂ    係止部
３３１    鉤板
３３２ａ    凸面
３３３ａ    貫通孔
３３４ｂ    フック
４    導線
５    回路基板
５１    挿通孔
【図１】
0003145895.tif 000003
【図２】
0003145895.tif 000004
【図３】
0003145895.tif 000005
【図４】
0003145895.tif 000006
【図５】
0003145895.tif 000007
【図６】
0003145895.tif 000008
【図７】
0003145895.tif 000009
【図８】
0003145895.tif 000010
【図９】
0003145895.tif 000011